(57)【要約】【課題】  ＰＤＰの内部に備わる電極に印加される電気的信号の歪曲を防止し、高画質のプラズマディスプレイモジュールを提供すること。【解決手段】  プラズマディスプレイパネルと、プラズマディスプレイパネルを支持するシャーシと、プラズマディスプレイパネルとシャーシとの間に配置される導電性部材と、を備えることを特徴とするプラズマディスプレイモジュールである。これにより、プラズマディスプレイパネルに備わる電極に印加される電気的信号が歪曲されて画質が低下することを防止するプラズマディスプレイモジュールを提供することが可能となる。【選択図】  図４
2006154762.tif 000002
【特許請求の範囲】
【請求項１】
プラズマディスプレイパネルと、
前記プラズマディスプレイパネルを支持するシャーシと、
前記プラズマディスプレイパネルとシャーシとの間に配置される導電性部材と、を備えることを特徴とするプラズマディスプレイモジュール。
【請求項２】
前記導電性部材は、前記プラズマディスプレイパネルと前記シャーシとを電気的に連結することを特徴とする、請求項１に記載のプラズマディスプレイモジュール。
【請求項３】
前記プラズマディスプレイパネルは、内部に放電を起こすための電気的信号を伝達するＸ電極及びＹ電極を備えることを特徴とする、請求項１に記載のプラズマディスプレイモジュール。
【請求項４】
前記プラズマディスプレイパネルは、前記シャーシの前方に配置され、
前記シャーシの後方に配置され、外部から受信される映像信号に対応するように前記Ｘ電極に電気的信号を印加するＸ電極駆動部と、前記Ｙ電極に電気的信号を印加するＹ電極駆動部と、を備える回路部をさらに備えることを特徴とする、請求項３に記載のプラズマディスプレイモジュール。
【請求項５】
前記Ｘ電極及びＹ電極は、互いに平行に延在し、前記Ｘ電極及びＹ電極が延在する方向と直交する方向に延在するアドレス電極が前記プラズマディスプレイパネルにさらに備わることを特徴とする、請求項３に記載のプラズマディスプレイモジュール。
【請求項６】
前記プラズマディスプレイパネルと前記シャーシとの間に配置される熱伝導性シートをさらに備えることを特徴とする、請求項１に記載のプラズマディスプレイモジュール。
【請求項７】
前記熱伝導性シートは、非伝導性素材から形成されることを特徴とする、請求項６に記載のプラズマディスプレイモジュール。
【請求項８】
前記導電性部材が配置される所以外の、前記プラズマディスプレイパネル及びシャーシ間の少なくとも一部に、前記熱伝導性シートが配置されることを特徴とする、請求項７に記載のプラズマディスプレイモジュール。
【請求項９】
内部に放電を起こすための電気的信号を伝達するＸ電極及びＹ電極を備えるプラズマディスプレイパネルと、
前記プラズマディスプレイパネルの後方に配置され、前記プラズマディスプレイパネルを支持するシャーシと、
前記シャーシの後方に配置され、前記Ｘ電極に電気的信号を印加するＸ電極駆動部と前記Ｙ電極に電気的信号を印加するＹ電極駆動部とを備える回路部と、
前記プラズマディスプレイパネルと前記シャーシとの間に配置される導電性部材とを備えることを特徴とするプラズマディスプレイモジュール。
【請求項１０】
前記Ｘ電極及びＹ電極は、互いに平行に延在し、前記Ｘ電極及びＹ電極が延在する方向と直交する方向に延在するアドレス電極が前記プラズマディスプレイパネルに備わることを特徴とする、請求項９に記載のプラズマディスプレイモジュール。
【請求項１１】
前記導電性部材は、前記プラズマディスプレイパネルと前記シャーシとを電気的に連結することを特徴とする、請求項９に記載のプラズマディスプレイモジュール。
【請求項１２】
前記プラズマディスプレイパネルと前記シャーシとの間に配置される熱伝導性シートをさらに備えることを特徴とする、請求項９に記載のプラズマディスプレイモジュール。
【請求項１３】
前記導電性部材は、前記Ｘ電極駆動部と対応する位置に配置されることを特徴とする、請求項９に記載のプラズマディスプレイモジュール。
【請求項１４】
前記導電性部材は、前記Ｙ電極駆動部と対応する位置に配置されることを特徴とする、請求項９に記載のプラズマディスプレイモジュール。
【請求項１５】
前記導電性部材は、前記Ｘ電極駆動部と対応する位置及び前記Ｙ電極駆動部と対応する位置にそれぞれ設けられ、
前記導電性部材間の前記プラズマディスプレイパネルと前記シャーシとの間に配置される熱伝導性シートをさらに備えることを特徴とする、請求項９に記載のプラズマディスプレイモジュール。
【請求項１６】
前記導電性部材は、前記Ｘ電極駆動部及び前記Ｙ電極駆動部が配置される前記シャーシの反対面の中央の面に位置し、
前記プラズマディスプレイパネルと前記シャーシとの間に熱伝導シートが配置されることを特徴とする、請求項９に記載のプラズマディスプレイモジュール。
【請求項１７】
前記導電性部材は、金属薄膜であることを特徴とする、請求項１または請求項９に記載のプラズマディスプレイモジュール。
【請求項１８】
前記導電性部材は、衝撃吸収層を備えることを特徴とする、請求項１または請求項９に記載のプラズマディスプレイモジュール。
【請求項１９】
前記衝撃吸収層は、その周囲を覆い包む導電層の内部に位置することを特徴とする、請求項１８に記載のプラズマディスプレイモジュール。
【請求項２０】
前記導電性部材は、メッシュ状であることを特徴とする、請求項１または請求項９に記載のプラズマディスプレイモジュール。
【発明の詳細な説明】
【技術分野】
【０００１】
本発明は、プラズマディスプレイモジュールに係り、さらに詳細には、プラズマディスプレイパネル（ＰＤＰ）に備わる電極に印加される電気的信号の歪曲による画質低下を防止する手段を有するプラズマディスプレイモジュールに関する。
【背景技術】
【０００２】
一般的に、ＰＤＰは、ガス放電現象を利用して画像を表示する装置であり、大型化が容易であり、表示容量、輝度、コントラスト、残像、視野角などの各種表示能力にすぐれ、次世代の平板表示装置として脚光を浴びている。
【０００３】
かかるＰＤＰは、電極間に印加される直流あるいは交流電圧によって放電ガスが充電された放電セル内で放電が発生し、前記放電ガスから放出される紫外線が蛍光体を励起させて可視光線を発光させることにより画像を表示する。
【０００４】
このとき、かかるＰＤＰは、画像を表示して視覚的情報を正確に視聴者に提供することを目的とするので、その画質が製品の品質を決定する重要な基準になる。それゆえに、ＰＤＰが取引される業界で製品の競争力を確保するためには、ＰＤＰの画質を改善させるための努力が先行されねばならない。
【０００５】
ＰＤＰの画質を改善させるために、業界では、ＰＤＰの内部に配置される蛍光体の質を改善し、色温度を補正して自然色を表示し、コントラスト比を増大させるなど、ＰＤＰの構造的問題点を補完する多様な努力を傾けている。これを介し、ＰＤＰの画質が相当改善されて今日に至っている。
【０００６】
しかし、ＰＤＰの構造に対する改善などを介して高画質が具現可能なＰＤＰが開発されるとしても、外部から受信される映像信号に対応して発生する電気的信号がＰＤＰの内部に印加される過程で、その電気的信号が歪曲されて伝えられるならば、ＰＤＰの画質改善の努力が実際に表示される映像に反映されなくなる。そして、かかる問題点は、ＰＤＰの画質の低下につながり、結果的にＰＤＰの製品競争力を失わせる主要な要因になる。
【発明の開示】
【発明が解決しようとする課題】
【０００７】
本発明は、ＰＤＰの内部に備わる電極に印加される電気的信号の歪曲を防止し、高画質のプラズマディスプレイモジュールを提供することを目的とする。
【課題を解決するための手段】
【０００８】
前記のような目的を達成するために、本発明は、ＰＤＰと、前記ＰＤＰを支持するシャーシと、前記ＰＤＰとシャーシとの間に配置される導電性部材と、を備えることを特徴とするプラズマディスプレイモジュールを提供することを目的とする。
【０００９】
前記導電性部材は、前記ＰＤＰと前記シャーシとを電気的に連結することが望ましい。
前記プラズマディスプレイモジュールに備わる前記ＰＤＰは、内部に放電を起こすための電気的信号を伝達するＸ電極及びＹ電極を備えることが望ましく、このとき、前記プラズマディスプレイモジュールにおいて、前記ＰＤＰは、前記シャーシの前方に配置され、前記シャーシの後方に配置され、外部から受信される映像信号に対応するように前記Ｘ電極に電気的信号を印加するＸ電極駆動部と前記Ｙ電極に電気的信号を印加するＹ電極駆動部とを備える回路部をさらに備えることが望ましい。
【００１０】
前記ＰＤＰは、前記Ｘ電極及びＹ電極は、互いに平行に延在し、前記Ｘ電極及びＹ電極が延在する方向と交差する方向に延在するアドレス電極を備えることが望ましい。
【００１１】
本発明によるプラズマディスプレイモジュールは、前記ＰＤＰと前記シャーシとの間に配置される熱伝導性シートをさらに備えることが望ましい。このとき、前記熱伝導性シートは、非伝導性素材から形成される。
【００１２】
本発明によるプラズマディスプレイモジュールは、前記導電性部材が配置される所以外の、前記ＰＤＰ及びシャーシ間の少なくとも一部に、前記熱伝導性シートが配置されることが望ましい。
【００１３】
本発明は、内部に放電を起こすための電気的信号を伝達するＸ電極及びＹ電極を備えるＰＤＰと、前記ＰＤＰの後方に配置され、前記ＰＤＰを支持するシャーシと、前記シャーシの後方に配置され、前記Ｘ電極に電気的信号を印加するＸ電極駆動部と、前記Ｙ電極に電気的信号を印加するＹ電極駆動部と、を備える回路部と、前記ＰＤＰとシャーシとの間に配置される導電性部材と、を備えるプラズマディスプレイモジュールを提供できる。
【００１４】
前記プラズマディスプレイモジュールに備わるＰＤＰは、前記Ｘ電極及びＹ電極は、互いに平行に延在し、前記Ｘ電極及びＹ電極が延在する方向と直交する方向に延在するアドレス電極をさらに備えることが望ましい。
【００１５】
前記導電性部材は、前記ＰＤＰと前記シャーシとを電気的に連結することが望ましい。
前記プラズマディスプレイモジュールは、前記ＰＤＰと前記シャーシとの間に配置される熱伝導性シートをさらに備えることが望ましい。
【００１６】
前記プラズマディスプレイモジュールに備わる前記導電性部材は、前記Ｘ電極駆動部と対応する位置に配置されることが望ましい。
【００１７】
前記プラズマディスプレイモジュールに備わる前記導電性部材は、前記Ｙ電極駆動部と対応する位置に配置されることが望ましい。
【００１８】
前記プラズマディスプレイモジュールに備わる前記導電性部材は、前記Ｘ電極駆動部と対応する位置及び前記Ｙ電極駆動部と対応する位置に、それぞれ設け、前記導電性部材間の前記ＰＤＰと前記シャーシとの間に配置される熱伝導性シートをさらに備えることが望ましい。
【００１９】
前記プラズマディスプレイモジュールに備わる前記導電性部材は、前記Ｘ電極駆動部及び前記Ｙ電極駆動部が配置される前記シャーシの反対面の中央の面に位置し、前記ＰＤＰと前記シャーシとの間に熱伝導シートを配置し得る。
【００２０】
本発明によるＰＤＰに備わる前記導電性部材は、金属薄膜とし得る。
【００２１】
本発明によるＰＤＰに備わる前記導電性部材は、衝撃吸収層を備えることが望ましく、このとき、前記導電性部材は、導電性物質が周囲を覆い包んでおり、前記導電性物質の内部に前記衝撃吸収層が備わることが望ましい。また、前記導電性物質は、メッシュ状に形成される。
【発明の効果】
【００２２】
本発明によるプラズマディスプレイモジュールは、ＰＤＰの内部に備わる電極に印加される電気的信号が誘導電流により歪曲されて波形が変わることを防止することにより、高画質のプラズマディスプレイモジュールを提供し、これにより、製品競争力を向上させられる。
【発明を実施するための最良の形態】
【００２３】
以下、図１から図５及び図７を参照し、本発明による望ましい実施形態であるプラズマディスプレイモジュール１１０について例を挙げて述べることとする。
【００２４】
まず、図１、図２、図７を参照し、導電性部材９０の配置されていないプラズマディスプレイモジュール１０について述べる。このとき、ＰＤＰ２０の構成要素については、後で具体的に説明する。
【００２５】
本発明の比較例によるプラズマディスプレイモジュール１０は、外部の映像信号に対応して放電時に発生する紫外線を利用し、後述する蛍光体層３２５を発光させることにより、画像を表示する。前記ＰＤＰ２０は、前方パネル２１と後方パネル２２とからなるディスプレイパネルと、該ディスプレイパネルの駆動時に発生して人体に有害であり、かつ他の電子機器の誤作動を招きうる電磁波を遮断するために、該ディスプレイパネルの前面に付着される電磁波遮断フィルム２５と、を備える。
【００２６】
このとき、前記ＰＤＰ２０は、内部に放電を起こすための電気的信号を伝達するＸ電極３１３及びＹ電極３１２を備えることが望ましい。このとき、前記Ｘ電極３１３及びＹ電極３１２が互いに平行に延在して配置されるときには、前記Ｘ電極３１３及びＹ電極３１２が延在する方向と直交する方向に延在するアドレス電極３２２を備えることが望ましい。このとき、前記アドレス電極３２２が必ずしも必須であるということではない。なお、前記ＰＤＰ２０の具体的な例については、後で詳細に説明する。
【００２７】
一方、前記電磁波遮断フィルム２５が必ずしもＰＤＰ２０の前面に付着されなければならないのではなく、別途に強化ガラスと結合され、後述する前方キャビネット５に固定されて装着されもする。このときには、前方キャビネット５の後方に、フィルタホルダ（図示せず）が固定され、そのフィルタホルダ（図示せず）に前記電磁波遮断フィルム２５と強化ガラス（図示せず）とが結合された電磁波遮蔽フィルタ（図示せず）が固定されて配置し得る。
【００２８】
また、前記プラズマディスプレイモジュール１０は、前記ＰＤＰ２０を支持するシャーシ３０を備える。このとき、前記シャーシ３０は、前記ＰＤＰ２０の後方に配置され、熱伝導性の良好なアルミニウムなどから形成することが望ましい。
【００２９】
一方、前記シャーシ３０は、ＰＤＰ２０から伝わってきた熱を外部空気との接触を介して放出し、ＰＤＰ２０の温度が適正レベル以上に上がることを防止し、ＰＤＰ２０が熱により変形されたり、または外部衝撃により破損されることを防止する機能を担当する。
【００３０】
また、前記プラズマディスプレイモジュール１０は、前記ＰＤＰ２０から発生した熱が前記シャーシ３０に、ＰＤＰ２０全体にわたって均一に伝導されるように、前記ＰＤＰ２０と前記シャーシ３０との間に配置される熱伝導シート８０を備え、前記熱伝導シート８０は、前記ＰＤＰ２０とシャーシ３０とに直接付着されることが望ましい。一方、前記熱伝導シート８０は、熱伝導性シリコンなどから形成することが一般的である。
【００３１】
一方、前記シャーシ３０は、前述のようにＰＤＰ２０を支持し、ＰＤＰ２０が変形したり、または破損することを防止せねばならないので、前記シャーシ３０は、十分な剛性を有さなければならない。このとき、前記シャーシ３０が有さなければならない剛性を補強するために、前記プラズマディスプレイモジュール１０は、前記シャーシ３０の背面に配置され、前記シャーシ３０の剛性を補強する補強部材３１を備えることが望ましい。
【００３２】
また、前記プラズマディスプレイモジュール１０は、前記ＰＤＰ２０とシャーシ３０との間に配置され、前記ＰＤＰ２０を前記シャーシ３０に固定させる両面テープ８５を備えられる。
【００３３】
また、前記プラズマディスプレイモジュール１０は、前記シャーシ３０の後方に設置され、前記ＰＤＰ２０を駆動する回路部７５を備える。このとき、前記回路部７５は、前記ＰＤＰ２０の内部に備わるＸ電極３１３、Ｙ電極３１２、アドレス電極３２２それぞれに、外部から受信される映像信号に対応するように電気的信号を印加するＸ電極駆動部４０、Ｙ電極駆動部３２及びアドレス電極駆動部５０を備えることが望ましい。このとき、前記電気的信号は、一般的に電位の形態で前記Ｘ電極３１３、Ｙ電極３１２、アドレス電極３２２に印加される。
【００３４】
一方、前記Ｘ電極駆動部４０とＹ電極駆動部３２は、前記Ｘ電極３１３とＹ電極３１２とが互いに平行に延在して配置されるときに、前記シャーシ３０の左右側に偏って配置されることが望ましい。
【００３５】
一方、前記回路部７５は、前記Ｘ電極駆動部４０、Ｙ電極駆動部３２及びアドレス電極駆動部５０のそれぞれに、外部映像信号を処理して電位の形態に加工された信号を供給する論理制御部７０と、前記Ｘ電極駆動部４０、Ｙ電極駆動部３２、アドレス電極駆動部５０に電力を供給する電力供給部６０と、を備えることが望ましい。
【００３６】
一方、前記アドレス電極駆動部５０は、多量の高集積回路チップを備えているために、発熱量が多く、従って適切な熱放出のために、前記アドレス電極駆動部５０を覆うカバープレート５２がプラズマディスプレイモジュール１０に備わることが望ましい。
【００３７】
一方、本発明によるＰＤＰ装置１は、前記プラズマディスプレイモジュール１０と、前記プラズマディスプレイモジュール１０を内部に配置して固定させて美観を改善し、ユーザの便宜を図る、中央に開口３の形成された前方キャビネット５と後方キャビネット７とからなるキャビネットとを備えることが望ましい。
【００３８】
以下、図２を参照し、プラズマディスプレイモジュール１０で、前記ＰＤＰ２０に備わる電極に印加される電気的信号が歪曲される理由について述べる。
【００３９】
一般的に、ＰＤＰ２０は、放電を起こす空間である放電セル３２６を備え、その放電セル３２６の内部に電場を形成させ、荷電粒子を加速させるために、前記Ｘ電極３１３、Ｙ電極３１２、アドレス電極３２２に所定の電位を印加して画像を表示する。
【００４０】
このとき、前記電極にいかなる方式で電位を印加し、それにより画像を表示しているかによって多様な駆動方式が存在する。ところで、現在大勢となっている方式は、加速器駆動システム（ＡＤＳ）方式であり、この駆動方式が他の駆動方式の基本をなす方式なので、この駆動方式を中心として本発明によるＰＤＰ２０の駆動を簡略に説明する。
【００４１】
ＰＤＰ２０に外部映像信号に対応して画像を表示するためには、１秒に６０個の画像フレームそれぞれが２５６階調のグレイスケールを表示できなければならず、このとき、各フレームは時間的に完全に分離されなければならない。すなわち、独立的に表現される１つの画像フレーム６０個が集まって１秒の動画像を表示できるのである。ところで、交流型三電極構造のＰＤＰ２０は、アドレス放電により、放電セル３２６の内部に蓄積される壁電荷と、前記壁電荷の助けで発生する維持放電と、により可視光を発光する構造を採択している。
【００４２】
従って、かかる特性を考慮して画像を具現するために、リセット放電、アドレス放電、及び維持放電の連続から構成されるサブフィールドが８個に分割されて１つの画像フレームを決定し、この画像フレーム６０個が１秒間に連続的に表示されて動画像を表示する。
【００４３】
このとき、画像フレーム６０個が１秒間連続的に表示されるためには、結局前記Ｘ電極３１３、Ｙ電極３１２、アドレス電極３２２に、経時的に変わるパルス電位を短い時間適切な状態で変形して印加しなければならない。特に、Ｘ電極３１３及びＹ電極３１２は、維持放電を担当するので、前記Ｘ電極３１３及びＹ電極３１２は、決定された階調を表示するために、短時間に多数のパルス電位を印加しなければならない。
【００４４】
このとき、前記Ｘ電極３１３及びＹ電極３１２に印加される電気的信号であるパルス電位は、経時的に継続的に変わり、結局前記Ｘ電極３１３及びＹ電極３１２が物理的に直接接触せずとも、前記Ｘ電極３１３からＹ電極３１２に経時的に変わる電流が流れるようになる。
【００４５】
そして、経時的に変わるＸ電極３１３からＹ電極３１２に流れる電流は、磁場を発生させる。そして、その誘導電流は、経時的な均一性を有しているわけではないので、その磁場も経時的に変わるようになる。一方、前記Ｘ電極３１３とＹ電極３１２とに印加される経時的に変化するパルス電位は、経時的に変わる電場を生成させる。
【００４６】
そして、前記Ｘ電極３１３及びＹ電極３１２は、アンテナのような振動子の役割を行うので、結局マクスウェル方程式でも確認することができるように、前記Ｘ電極３１３及びＹ電極３１２に印加される電気的信号により電磁波が生成される。
【００４７】
このとき、かかる電磁波は、結局他のＸ電極３１３及びＹ電極３１２に影響を与え、それにより、たとえ前記Ｘ電極３１３とＹ電極３１２とが互いに電気的に連結されていないにしても、電磁波が各種媒質に沿って伝播されるので、前記Ｙ電極３１２から隣接するＸ電極３１３に沿って電磁波により誘導される誘導電流が発生する。
【００４８】
一方、前記電磁波は、アルミニウムなどで形成されるシャーシ３０にも影響を与え、このとき、前記Ｘ電極３１３及びＹ電極３１２は、前記前方パネル２１と後方パネル２２との間に配置されるので、結果的に、図２で分かるように、Ｙ電極駆動部３２からＸ電極駆動部４０に流れる誘導電流９２が発生してしまう。
【００４９】
一方、前述の説明は、Ｘ電極３１３からＹ電極３１２に電流が発生し、Ｙ電極３１２からＸ電極３１３に誘導電流が発生するとしたが、そのパルス信号が変わり、Ｙ電極３１２からＸ電極３１３に電流が流れる場合には、前記Ｘ電極３１３からＹ電極３１２に誘導電流が流れるようになる。このとき、重要な点は、前記Ｘ電極３１３からＹ電極３１２に、あるいはＹ電極３１２からＸ電極３１３に電流が流れる場合には、誘導電流は、常に前記Ｘ電極３１３及びＹ電極３１２に印加される電気的信号を妨害する方向に発生してしまうという点である。
【００５０】
このとき、この誘導電流９２は、Ｘ電極３１３及びＹ電極３１２それぞれに印加される電気的信号のように、外部映像信号に対応して生成された信号ではなく、一種のノイズとして、Ｘ電極３１３及びＹ電極３１２に印加される電気的信号を歪曲させて波形を変化させる機能を果たしてしまう。
【００５１】
従って、かかる誘導電流の量を低減することにより、Ｘ電極３１３及びＹ電極３１２に印加される電気的信号が映像信号に正確に対応する信号に加工され、結局ＰＤＰ２０の画質を向上させることができる。
【００５２】
このとき、前記誘導電流９２は、Ｙ電極駆動部３２、Ｙ電極３１２及びＸ電極３１３、Ｘ電極駆動部４０、及びシャーシ３０を経て流れ、この誘導電流９２により前記Ｘ電極３１３及びＹ電極３１２に印加される電気的信号が歪曲されるので、前記誘導電流の大きさを減らす必要がある。
【００５３】
このとき、前記誘導電流は、Ｙ電極駆動部３２、Ｙ電極３１３及びＸ電極３１２、Ｘ電極駆動部４０、及びシャーシ３０からなる閉ループに流れる電流と考えることができ、従ってこの閉ループがインダクタとして作用し、前記Ｘ電極３１３及びＹ電極３１２に印加される電気的信号を歪曲させると考えることができるので、結局この閉ループのインダクタのインダクタンスを減らせば、前記Ｘ電極３１３及びＹ電極３１２に印加される電気的信号が歪曲される現象を減らせることとなる。
【００５４】
このとき、図３を参照し、閉ループのインダクタンスを説明する。図３に図示するように、閉ループ９５に電流Ｉが流れると仮定すれば、図３に図示するように、磁場Ｂが生成される。前記閉ループは、巻き数が１であるソレノイドであると考えることができる。もちろん、ソレノイド形式は、そのループが地面に垂直方向に十分に長い場合に適用できるものであるが、前記閉ループは、Ｙ電極駆動部３２、Ｙ電極３１３、Ｘ電極３１２、Ｘ電極駆動部４０、及びシャーシ３０とつながる導線をモデリングしたものであり、前記ループは、地面に垂直方向に十分に長いと考えることができ、実際この形式を適用する理由は、正確な値を求めるのでなく、傾向性を把握するためのものなので、前記ソレノイド形式を前記誘導電流が流れる閉ループに適用可能である。
【００５５】
このとき、ソレノイドのインダクタンスは、その断面積の大きさに比例するので、図３では、πｒの２乗に比例し、図２では前記誘導電流９２が流れつつ、図示されている閉ループの断面積に比例すると考えることができる。
【００５６】
従って、かかる認識下で、前記誘導電流が流れつつ覆い包む閉ループの断面積が減少しうる手段を備える本発明によるプラズマディスプレイモジュール１１０について、図４を参照して説明する。
【００５７】
本発明によるプラズマディスプレイモジュール１１０は、前記ＰＤＰ２０とシャーシ３０との間に配置される導電性部材９０を備える。このとき、前記導電性部材９０は、前記ＰＤＰ２０と前記シャーシ３０とを電気的に連結することが望ましい。このとき、前記ＰＤＰ２０と前記シャーシ３０とを電気的に連結するという意味は、前述の誘導電流が前記シャーシ３０、導電性部材９０、及びＰＤＰ２０の内部を経て流れるということを意味する。
【００５８】
そして、たとえ前記ＰＤＰ２０がガラスのような非伝導性物質から構成されているにしても、前記誘導電流は、電磁波により生成されるものであるので、前記ガラスのような誘電体が内部分極を介して実質的に電流を伝達するために、その導電性部材が前記シャーシ３０及びＰＤＰ２０間に配置されるだけであっても、前記導電性部材９０が前記シャーシ３０と前記ＰＤＰ２０とを電気的に連結するということができる。
【００５９】
一方、前記ＰＤＰ２０と前記シャーシ３０との間に、熱伝導シート８０が備わることが望ましく、このときには、前記導電性部材９０は、前記Ｘ電極駆動部４０とＹ電極駆動部３２とに対応する位置に配置される、さらに具体的に説明すれば、Ｘ電極駆動部４０が配置される前記シャーシの反対の面３０ａと、前記Ｙ電極駆動部３２が配置される前記シャーシの反対の面３０ｂとに配置されることが望ましい。
【００６０】
一方、前記導電性部材９０が必ずしも前述の前記Ｘ電極駆動部４０が配置される前記シャーシの反対の面３０ａと、前記Ｙ電極駆動部３２が配置される前記シャーシの反対の面３０ｂとにいずれにも配置しなければならないというわけではなく、場合によっては、それらのうちいずれか１つの面に配置することもあり、より多数の導電性部材を配置することも可能である。
【００６１】
しかし、前記導電性部材９０が前述の前記Ｘ電極駆動部４０が配置される前記シャーシの反対の面３０ａと、前記Ｙ電極駆動部３２が配置される前記シャーシの反対の面３０ｂとにいずれにも配置すれることがさらに望ましい。
【００６２】
このとき、前記導電性部材９０を配置することにより、前述のようにＹ電極駆動部４０、Ｙ電極３１２及びＸ電極３１３、Ｘ電極駆動部４０、及びシャーシ３０を経て流れる誘導電流９２がいかように変わるかについて、図４を参照して述べることとする。
【００６３】
前記Ｙ電極駆動部３２、Ｙ電極３１２を経て流れる誘導電流は、前記シャーシ３０とＰＤＰ２０とに導電性部材９０が配置されることにより、前記導電性部材９０を介して流れるようになり、それにより、誘導電流１９２は、前記Ｙ電極駆動部３２、Ｙ電極３１２、導電性部材９０及びシャーシ３０を経て流れる閉ループを構成する。
【００６４】
このとき、前記導電性部材９０を経て電流が流れる理由は、前記導電性部材９０の内部にある自由電子が前述の電磁波により影響を受け、結局前記その自由電子が導電性部材から前記シャーシ３０に流れて行く。このとき、たとえ前記導電性部材９０が前記Ｙ電極３１２と物理的に接触されていないにしても、前記ＰＤＰ２０に備わる基板３１１，３２１（図７）が誘電体として作用し、前記誘導電流もまた経時的に変わる交流的特性を有しているために、前記導電性部材を経て前記誘導電流１９２が流れる。
【００６５】
このとき、前記導電性部材９０が前記Ｙ電極駆動部３２が配置される前記シャーシの反対面３０ｂに配置されることにより、前記導電性部材９０がないときに生成されていた誘導電流９２の閉ループの断面積に比べ、前記誘導電流１９２が構成する閉ループの断面積が小さくなり、それによりインダクタンスの大きさが低減する。
【００６６】
そして、かかるインダクタンスの低減は、結局前記Ｘ電極３１３及びＹ電極３１２に印加される信号が歪曲される程度を弱化させるので、結果的に前記Ｘ電極３１３及びＹ電極３１２に外部映像信号に対応し、本来所望していたところに近似した電気的信号を印加できるようにするので、結局ＰＤＰ２０の画質を改善することができる。
【００６７】
そして、一般的に大型化されたＰＤＰ２０の場合においては、前述の誘導電流により発生する信号の歪曲が特に大きいので、本発明によるインダクタンスの低減により得ることができる画質改善の効果は、大型化されたＰＤＰにて幾何級数的に向上する。
【００６８】
一方、前記Ｘ電極駆動部４０が配置されるシャーシの反対面３０ａに位置する導電性部材９０の場合にも、前述のところと同一の理由で、誘導電流１９２が流れる閉ループの断面積を減少させるために、インダクタンスが減少し、結局ＰＤＰ２０の画質を改善させることができる。
【００６９】
一方、前記導電性部材９０は、Ａｇ、Ｃｕ、Ｃｒのような金属からなる金属性薄膜とし得る。一方、パネル２０に加え得る衝撃を吸収するために、前記導電性部材９０は、衝撃吸収層９４を備えることが望ましい。
【００７０】
図５を参照してさらに具体的に説明すれば、前記導電性部材９０は、前述の金属性物質のような導電性物質９１が周囲を覆い包み、前記導電性物質９１の内部に衝撃吸収層９４が備わることが望ましい。前記導電性物質９１をメッシュ９３の形態により形成することにより、衝撃吸収能力をさらに強化することができる。
【００７１】
図６を参照し、本発明による変形例のプラズマディスプレイモジュール２１０について、本発明によるプラズマディスプレイモジュール１１０と異なる事項を中心に説明する。
【００７２】
本発明による変形例のプラズマディスプレイモジュール２１０が本発明によるプラズマディスプレイモジュール１１０と異なる点は、前記導電性部材９０は、前記Ｘ電極駆動部４０及び前記Ｙ電極駆動部３２が配置される前記シャーシの反対面の中央の面３０ｃに位置し、前記導電性部材が配置された面３０ｃを除外した前記ＰＤＰ２０と前記シャーシ３０との間に熱伝導シート８０が配置されるという点である。
【００７３】
かかる導電性部材９０の配置により、前記導電性部材９０が配置されていないときに発生する誘導電流９２がなす閉曲線の断面積の大きさを小さくできる。
【００７４】
一方、図６には前記導電性部材９０が中央の一部にだけ配置されることが図示されているが、必ずしもそのような必要はなく、その導電性部材の面積が大きくなることもある。一方、前記熱伝導シートが配置されずに前記導電性部材９０が配置されることもある。
【００７５】
以下、図７を参照し、本発明によるプラズマディスプレイモジュール１１０に備わる第１実施形態のＰＤＰ２０について例を挙げて説明する。
【００７６】
前記ＰＤＰ２０は、前方パネル２１と後方パネル２２とを備え、前記前方パネル２１は、前面基板３１１、前記前面基板の背面３１１ａに形成されたＹ電極３１２とＸ電極３１３とを備えた維持電極対３１４、前記維持電極対を覆う前方誘電体層３１５及び前記前方誘電体層３１５を覆う保護膜３１６を備える。
【００７７】
このとき、前記Ｘ電極３１３とＹ電極３１２は、互いに平行な方向に放電セル３２６に沿って一方向に延在する。一方、前記Ｙ電極３１２とＸ電極３１３のそれぞれは、ＩＴＯなどから形成された透明電極３１２ｂ，３１３ｂと、高伝導性を有する金属から形成されたバス電極３１２ａ，３１３ａと、を備える。前記バス電極３１２ａ，３１３ａは、前記ＰＤＰ２０の左右側に配置されたＹ電極連結ケーブル３４と、Ｘ電極連結ケーブル４４と、に連結され、前記Ｙ電極駆動部３２及びＸ電極駆動部４０にそれぞれ連結される。
【００７８】
一方、前記後方パネル３２０は、背面基板３２１、前記背面基板３２１の前面３２１ａに前記維持電極対３１４と直交するように形成されたアドレス電極３２２、前記アドレス電極を覆う後方誘電体層３２３、前記後方誘電体層３２３に形成されて放電を起こす空間である放電セル３２６を区画する隔壁３３０、及び前記放電セル内に配置された蛍光体層３２５を備える。前記アドレス電極３２２は、ＰＤＰの下側に配置されたアドレス電極連結ケーブル５４と連結されてアドレス電極駆動部５０に連結される。
【００７９】
そして、前記放電セル３２６内には、１０％前後のキセノン（Ｘｅ）ガスを含んだネオン（Ｎｅ）、ヘリウム（Ｈｅ）、またはアルゴン（Ａｒ）のうちのいずれか一つ、あるいはそれらのうち二つ以上の混合ガスが充填される。
【００８０】
以下、図８を参照し、本発明によるプラズマディスプレイモジュールに備わり得る第２実施形態のＰＤＰ４２０について、第１実施形態のＰＤＰ２０と異なる事項を中心に説明する。
【００８１】
前記ＰＤＰ４２０は、第１実施形態のＰＤＰ２０と異なり、前面基板５１１の背面５１１ａに維持電極対が配置されておらず、前方パネル４２１に備わる誘電体から形成される隔壁５３０の一部である前方隔壁５１５の内部に放電セル５２６を覆うように前記Ｘ電極５１３及びＹ電極５１２が配置される。
【００８２】
このとき、前記Ｘ電極及びＹ電極は、互いに平行に一方向に延在する。そして、前記Ｘ電極５１３及びＹ電極５１２のそれぞれは、Ｘ電極連結ケーブル４４及びＹ電極連結ケーブル３４に電気的に連結され、Ｘ電極駆動部４０及びＹ電極駆動部５０のそれぞれに電気的に連結される。
【００８３】
一方、アドレス放電のために、前記Ｘ電極及びＹ電極が延在する方向と直交する方向にアドレス電極５２２が後方パネル４２２に備わる背面基板５２１の前面５２１ａに延在して配置され、前記アドレス電極５２２は、後方誘電体層５２３により覆われる。
このとき、前記アドレス電極５２２は、前記アドレス電極連結ケーブル５４に電気的に連結され、前記アドレス電極駆動部５０に電気的に連結される。
【００８４】
そして、蛍光体層５２５は、隔壁５３０の一部である後方隔壁５２４及び背面基板５２１が画成する空間に配置される。そして、前記放電セル５２６内には、１０％前後のＸｅガスを含んだＮｅ、Ｈｅ、またはＡｒのうちいずれか一つ、あるいはそれらのうち二つ以上の混合ガスが充填される。
【００８５】
一方、本発明によるプラズマディスプレイモジュール１１０は、そのプラズマディスプレイモジュールに備わるＰＤＰにより発明の範囲が限定されるものではなく、多様な変形例のＰＤＰを備えることが可能である。
【００８６】
本発明は、図面に図示された実施形態を参照して説明してきたが、それらは、例示的なものに過ぎず、本技術分野の当業者ならば、それらから多様な変形及び均等な他の実施形態が可能であるという点が理解できる。従って、本発明による真の技術的保護範囲は、特許請求の範囲に記載された発明思想（技術的思想）によって決まるのである。
【産業上の利用可能性】
【００８７】
本発明は、プラズマディスプレイ装置に効果的に適用可能である。
【図面の簡単な説明】
【００８８】
【図１】一般的なプラズマディスプレイ装置を図示する分離斜視図である。
【図２】図１のＩＩ−ＩＩ線に沿って切開した図面であり、導電性部材が備わっていない状態で誘導電流が流れるところを示す断面図である。
【図３】円形導線で電流が流れる場合に生成される磁場を説明するための概略図である。
【図４】本発明による望ましい実施形態であるプラズマディスプレイ装置を、図１でのようにＩＩ−ＩＩ線と同じ方向に切開した断面図であり、導電性部材が備わった状態で誘導電流が流れるところを示す断面図である。
【図５】本発明による望ましい実施形態であるプラズマディスプレイ装置に備わる導電性部材を示す斜視図である。
【図６】本発明による変形例のプラズマディスプレイ装置を、図１でのようにＩＩ−ＩＩ線と同じ方向に切開した断面図であり、導電性部材が備わった状態で誘導電流が流れるところを示す断面図である。
【図７】本発明によるプラズマディスプレイ装置に備わる第１実施形態のＰＤＰについて示す断面図である。
【図８】本発明によるプラズマディスプレイ装置に備わる第２実施形態のＰＤＰについて示す断面図である。
【符号の説明】
【００８９】
１，１００，２００  プラズマディスプレイ装置
３  開口
５  前方キャビネット
７  後方キャビネット
１０，１１０，２１０  プラズマディスプレイモジュール
２０  ＰＤＰ
２１  前方パネル
２２  後方パネル
２５  遮断フィルム
３０  シャーシ
３０ａ，３０ｂ  シャーシの反対面
３０ｃ  シャーシの反対面の中央面
３１  補強部材
３２  Ｙ電極駆動部
３４  Ｙ電極連結ケーブル
４０  Ｘ電極駆動部
４４  Ｘ電極連結ケーブル
５０  アドレス電極駆動部
５２  カバープレート
６０  電力供給部
７０  論理制御部
７５  回路部
８０  熱伝導シート
８５  両面テープ
９０  導電性部材
９１  導電性物質
９２，１９２，２９２  誘導電流
９３  メッシュ
９４  衝撃吸収層
９５  閉ループ
３１１  前面基板
３１１ａ  前面基板の背面
３１２  Ｙ電極
３１２ａ、３１３ａ  透明電極
３１２ｂ、３１３ｂ  バス電極
３１３  Ｘ電極
３１４  維持電極対
３１５  前方誘電体層
３１６  保護膜
３２１  背面基板
３２１ａ  背面基板の前面
３２２  アドレス電極
３２３  後方誘電体層
３２５  蛍光体層
３２６  放電セル
４２０  ＰＤＰ
４２１  前方パネル
４２２  後方パネル
５１１  前面基板
５１２  Ｘ電極
５１３  Ｙ電極
５１５  前方隔壁
５２１  背面基板
５２１ａ  背面基板の前面
５２２  アドレス電極
５２３  後方誘電体層
５２４  後方隔壁
５２５  蛍光体層
５２６  放電セル
５３０  隔壁
Ｂ  磁場
Ｉ  電流
ｒ  閉ループの半径
【図１】
2006154762.tif 000003
【図２】
2006154762.tif 000004
【図３】
2006154762.tif 000005
【図４】
2006154762.tif 000006
【図５】
2006154762.tif 000007
【図６】
2006154762.tif 000008
【図７】
2006154762.tif 000009
【図８】
2006154762.tif 000010